【手続補正書】
【提出日】平成30年1月10日(2018.1.10)
【手続補正１】
【補正対象書類名】明細書
【補正対象項目名】０００６
【補正方法】変更
【補正の内容】
【０００６】
上述した課題を解決するために本発明の撮像制御装置は、
通信手段を備える撮像制御装置であって、
複数の撮像装置の各々において連続撮影を行う場合において、前記複数の撮像装置による同期撮影を、前記通信手段を介して制御する同期撮影制御手段と、
前記同期撮影制御手段による同期撮影用として、所定の画像処理を行うのに必要な撮影条件に応じて前記複数の撮像装置の各々により同期撮影された時系列的に連続する連続画像データを取得する取得手段と、
前記取得手段によって取得された複数の連続画像データを用いて前記所定の画像処理を行うことにより所定の特殊効果を付与した連続画像データを生成する画像処理手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
通信手段を備える撮像制御装置であって、
複数の撮像装置の各々において連続撮影を行う場合において、前記複数の撮像装置による同期撮影を、前記通信手段を介して制御する同期撮影制御手段と、
前記同期撮影制御手段による同期撮影用として、所定の画像処理を行うのに必要な撮影条件に応じて前記複数の撮像装置の各々により同期撮影された時系列的に連続する連続画像データを取得する取得手段と、
前記取得手段によって取得された複数の連続画像データを用いて前記所定の画像処理を行うことにより所定の特殊効果を付与した連続画像データを生成する画像処理手段と、
を備えることを特徴とする撮像制御装置。
【請求項２】
前記所定の画像処理は、複数種の画像処理の中から選択された画像処理であり、
前記画像処理手段は、前記選択された画像処理を行うことにより所定の特殊効果を付与した連続画像データを生成する、
ことを特徴とする請求項１に記載の撮像制御装置。
【請求項３】
前記同期撮影制御手段は、前記選択された画像処理に応じて同期撮影用の撮影条件を特定し、この特定された撮影条件での同期撮影を制御する、
ことを特徴とする請求項２に記載の撮像制御装置。
【請求項４】
複数種の画像処理の中からユーザ操作によって前記所定の画像処理を任意に選択させる選択手段を更に備える、
ことを特徴とする請求項２又は３に記載の撮像制御装置。
【請求項５】
当該撮像制御装置は、撮像手段を備えた撮像装置であって、
前記同期撮影制御手段は、撮像装置である当該撮像制御装置と他の撮像装置との複数の撮像装置による同期撮影を、前記通信手段を介して制御する、
ことを特徴とする請求項１乃至４のいずれか１項に記載の撮像制御装置。
【請求項６】
前記同期撮影制御手段は、前記同期撮影において当該撮像制御装置がマスタ側のカメラとして機能する場合には、前記所定の画像処理を行うのに必要な同期撮影用の撮影条件を特定し、この特定した同期撮影用の撮影条件をスレーブ側のカメラとして機能する他の撮像装置に送信して設定すべきことを指示し、スレーブ側のカメラとして機能する場合には、マスタ側のカメラとして機能する他の撮像装置から送信される撮影条件を受信して設定する、
ことを特徴とする請求項５に記載の撮像制御装置。
【請求項７】
前記同期撮影制御手段は、当該撮像制御装置がマスタ側のカメラとして機能する場合に、スレーブ側のカメラから送信される撮影条件を受信することにより前記所定の画像処理を行うのに必要であると特定した撮影条件がそのスレーブ側のカメラに設定されているか否かを判別し、その判別結果に基づいて同期撮影の開始を制御する、
ことを特徴とする請求項６に記載の撮像制御装置。
【請求項８】
前記同期撮影制御手段は、前記複数の撮像装置による動画の同期撮影を制御し、
前記取得手段は、前記連続画像データとして、前記動画の同期撮影のタイミング毎に各撮像装置で撮影された各動画のフレーム画像を取得し、
前記画像処理手段は、前記取得手段によって取得した各動画のフレーム画像を用いて前記所定の画像処理を行うことによりフレーム毎に所定の特殊効果を付与した動画データを生成する、
ことを特徴とする請求項１乃至７のいずれか１項に記載の撮像制御装置。
【請求項９】
前記同期撮影制御手段は、前記複数の撮像装置で同じフレームレートによる同期撮影を行わせる際に、各撮像装置による同期撮影のタイミングをフレーム周期の範囲内でずらす制御を行い、
前記取得手段は、前記複数の撮像装置による同期撮影のタイミングのずれによって擬似的に向上したフレームレートに相応するフレーム画像を各撮影装置から取得し、
前記画像処理手段は、前記取得手段によって取得した各フレーム画像を用いて前記所定の画像処理として特殊合成処理を行う、
ことを特徴とする請求項８に記載の撮像制御装置。
【請求項１０】
前記取得手段は、前記複数の撮像装置による同期撮影用として、同一の構図で露出値の異なる撮影条件が設定されている状況下でその撮影条件に応じて前記複数の撮像装置により露出値を変えて同期撮影された各連続画像データを取得し、
前記画像処理手段は、前記取得手段によって取得した複数の連続画像データを用いて前記所定の画像処理として特殊合成処理を行うことによりダイナミックレンジを向上させた連続画像データを生成する、
ことを特徴とする請求項１乃至９のいずれか１項に記載の撮像制御装置。
【請求項１１】
前記取得手段は、前記複数の撮像装置による同期撮影用として，同一の構図でフォーカス位置が異なる撮影条件が設定されている状況下でその撮影条件に応じて前記複数の撮像装置によりフォーカス位置を変えて同期撮影された各連続画像データを取得し、
前記画像処理手段は、前記取得手段によって取得した複数の連続画像データを用いて前記所定の画像処理として、それぞれの画像からピントの合っている領域を選択して１枚の画像に合成する特殊合成処理を行うことにより手前の被写体から遠くの背景までピントが合った全焦点の連続画像データを生成する、
ことを特徴とする請求項１乃至９のいずれか１項に記載の撮像制御装置。
【請求項１２】
前記取得手段は、前記同期撮影用として、被写体の動きが静止していることを示す撮影条件が設定されている状況下でその撮影条件に応じて前記複数の撮像装置により被写体静止時に同期撮影された各連続画像データを取得し、
前記画像処理手段は、前記取得手段によって取得された複数の連続画像データを用いて前記所定の画像処理としてハイダイナミックレンジ合成処理を行う、
ことを特徴とする請求項１０又は１１に記載の撮像制御装置。
【請求項１３】
前記同期撮影制御手段は、前記同期撮影において当該撮像制御装置がマスタ側のカメラとして機能する場合に、スレーブ側のカメラとして機能する他の撮像装置から撮影位置、撮影方向、撮影画角を含む撮影条件を受信し、
前記取得手段は、スレーブ側のカメラとして機能する他の撮像装置から受信した撮影条件のばらつきが所定値以下である場合に、前記複数の撮像装置により同期撮影された各連続画像データを取得し、
前記画像処理手段は、前記取得手段によって取得された複数の連続画像データを用いて前記所定の画像処理としてハイダイナミックレンジ合成処理を行う、
ことを特徴とする請求項１０又は１１に記載の撮像制御装置。
【請求項１４】
前記取得手段は、前記複数の撮像装置による同期撮影用として、同一の構図で露出値が異なる撮影条件が設定されている状況下でその撮影条件に応じて前記複数の撮像装置により露出値を変えて同期撮影された各連続画像データを取得し、
前記画像処理手段は、前記取得手段によって取得した複数の連続画像データを用いて前記所定の画像処理として特殊合成処理を行うことにより局所的にコントラスト又は彩度の強度を変化させた画像データを生成する、
ことを特徴とする請求項１乃至９のいずれか１項に記載の撮像制御装置。
【請求項１５】
前記取得手段は、前記複数の撮像装置による同期撮影用として、撮影位置が左右に所定距離を離れていることを示す撮影条件が設定されている状況下でその撮影条件に応じて前記複数の撮像装置により左右の撮影位置により同期撮影された各連続画像データを取得し、
前記画像処理手段は、前記取得手段によって取得した複数の連続画像データを用いて前記所定の画像処理として立体画像生成処理を行うことにより立体効果を付与した画像データを生成する、
ことを特徴とする請求項１乃至９のいずれか１項に記載の撮像制御装置。
【請求項１６】
前記取得手段は、前記複数の撮像装置による同期撮影用として、撮影時間をずらす撮影間隔が設定されている状況下でその撮影条件に応じて前記複数の撮像装置により撮影時間をずらして同期撮影された各連続画像データを取得し、
前記画像処理手段は、前記取得手段によって取得した複数の連続画像データを用いて前記所定の画像処理として特殊合成処理を行うことにより被写体の動きが１枚の静止画で表されるストロボ効果を付与した連続画像データを生成する、
ことを特徴とする請求項１乃至９のいずれか１項に記載の撮像制御装置。
【請求項１７】
前記同期撮影制御手段は、前記同期撮影において当該撮像制御装置がマスタ側のカメラとして機能する場合に、被写体が動いていれば、その被写体の大きさとその動きの速度に応じて決定した撮影間隔をスレーブ側のカメラとして機能する他の撮像装置に送信し、
前記取得手段は、前記同期撮影用の撮影条件として被写体の動いている場合に、前記複数の撮像装置により前記撮影間隔で同期撮影された各連続画像データを取得する、
ことを特徴とする請求項１６に記載の撮像制御装置。
【請求項１８】
通信手段を備える撮像装置における撮像制御方法であって、
複数の撮像装置の各々において連続撮影を行う場合において、前記複数の撮像装置による同期撮影を、通信手段を介して制御する処理と、
前記同期撮影用として、所定の画像処理を行うのに必要な撮影条件に応じて前記複数の撮像装置の各々により同期撮影された時系列的に連続する連続画像データを取得する処理と、
前記取得された複数の連続画像データを用いて前記所定の画像処理を行うことにより所定の特殊効果を付与した連続画像データを生成する処理と、
を含むことを特徴とする撮像制御方法。
【請求項１９】
通信手段を備える撮像装置のコンピュータに対して、
複数の撮像装置の各々において連続撮影を行う場合において、前記複数の撮像装置による同期撮影を、通信手段を介して制御する機能と、
前記同期撮影用として、所定の画像処理を行うのに必要な撮影条件に応じて前記複数の撮像装置の各々により同期撮影された時系列的に連続する連続画像データを取得する機能と、
前記取得された複数の連続画像データを用いて前記所定の画像処理を行うことにより所定の特殊効果を付与した連続画像データを生成する機能と、
を実現させるためのプログラム。